(57)【要約】【課題】装置筐体の現在の向きと表示内容のサイズとに応じて、折畳み式２画面タッチパネルでの好適な画面表示を可能にすること。【解決手段】２画面のタッチパネルと、制御部１０１とを備え、制御部１０１は、方向判定部１２１と、サイズ判定部１２２と、ページ判定部１２３と、全画面表示部１２４と、当該コンテンツの表示サイズがタッチパネルの１画面の表示領域のサイズを超えておらず、かつ当該コンテンツに関連する他のコンテンツを含むページへの遷移が可能である場合に、当該コンテンツと他のコンテンツとを筐体の向きに対応した向きの２画面の表示領域に各々分けて表示する個別画面表示部１２５とを有する。【選択図】図１
2014145972.tif 000002
【特許請求の範囲】
【請求項１】
折畳み式の筐体に付属する２画面のタッチパネルと、
制御部と
を備え、
前記制御部は、
前記折畳み式の筐体の向きが縦向きか横向きかを判定する方向判定部と、
前記筐体を開いた際に、表示するコンテンツの表示サイズが前記タッチパネルの１画面の表示領域のサイズを超えた否かを判定するサイズ判定部と、
当該コンテンツに関連する他のコンテンツを有するページへの遷移が可能か否かを判定するページ判定部と、
当該コンテンツの表示サイズが前記タッチパネルの１画面の表示領域のサイズを超えておらず、かつ当該コンテンツに関連する前記他のコンテンツを有するページへの遷移が不可能である場合に、当該コンテンツを、前記筐体の向きに対応した向きの２画面分を１画面とする表示領域に表示する全画面表示部と、
当該コンテンツの表示サイズが前記タッチパネルの１画面の表示領域のサイズを超えておらず、かつ当該コンテンツに関連する前記他のコンテンツを含むページへの遷移が可能である場合に、当該コンテンツと前記他のコンテンツとを、前記筐体の向きに対応した向きの２画面の表示領域に各々分けて表示する個別画面表示部と
を有する携帯端末装置。
【請求項２】
前記コンテンツの表示サイズの判定は、縦方向のサイズと横方向のサイズとに分けて実行する
請求項１に記載の携帯端末装置。
【請求項３】
前記制御部における遷移可能性の判定は、表示画面の遷移可能性の判定及び制御の流れの遷移可能性の判定を含む
請求項１又は２に記載の携帯端末装置。
【請求項４】
前記コンテンツの表示サイズの判定に代えて、前記コンテンツの画面表示に対して縦スクロール又は横スクロールが実行されたか否かを判定する
請求項１から３のいずれか一項に記載の携帯端末装置。
【請求項５】
前記タッチパネルは、液晶で構成されている
請求項１から４のいずれか一項に記載の携帯端末装置。
【請求項６】
折畳み式の筐体に付属する２画面のタッチパネルに対する画面表示方法として、
前記折畳み式の筐体の向きが縦向きか横向きかを判定する段階と、
前記筐体を開いた際に、表示するコンテンツの表示サイズが前記タッチパネルの１画面の表示領域のサイズを超えた否かを判定する段階と、
当該コンテンツに関連する他のコンテンツを有するページへの遷移が可能か否かを判定する段階と、
当該コンテンツの表示サイズが前記タッチパネルの１画面の表示領域のサイズを超えておらず、かつ当該コンテンツに関連する前記他のコンテンツを有するページへの遷移が不可能である場合に、当該コンテンツを、前記筐体の向きに対応した向きの２画面分を１画面とする表示領域に表示する段階と、
当該コンテンツの表示サイズが前記タッチパネルの１画面の表示領域のサイズを超えておらず、かつ当該コンテンツに関連する前記他のコンテンツを有するページへの遷移が可能である場合に、当該コンテンツと前記他のコンテンツとを、前記筐体の向きに対応した向きの２画面の表示領域に各々分けて表示する段階と
を備える携帯端末装置の画面表示方法。
【請求項７】
折畳み式の筐体に付属する２画面のタッチパネルを備えた携帯端末装置をコンピュータで制御させるためのコンピュータプログラムであって、
前記折畳み式の筐体の向きが縦向きか横向きかを判定するステップと、
前記筐体を開いた際に、表示するコンテンツの表示サイズが前記タッチパネルの１画面の表示領域のサイズを超えた否かを判定するステップと、
当該コンテンツに関連する他のコンテンツを含むページへの遷移が可能か否かを判定するステップと、
当該コンテンツの表示サイズが前記タッチパネルの１画面の表示領域のサイズを超えておらず、かつ当該コンテンツに関連する前記他のコンテンツを含むページへの遷移が不可能である場合に、当該コンテンツを、前記筐体の向きに対応した向きの２画面分を１画面とする表示領域に表示するステップと、
前記コンテンツの表示サイズが前記タッチパネルの１画面の表示領域のサイズを超えておらず、かつ当該コンテンツに関連する前記他のコンテンツを含む前記ページへの遷移が可能である場合に、当該コンテンツと前記他のコンテンツとを、前記筐体の向きに対応した向きの２画面の表示領域に各々分けて表示するステップと
を有するコンピュータプログラム。
【発明の詳細な説明】
【技術分野】
【０００１】
本発明は、携帯端末装置、携帯端末装置の画面表示方法、及びコンピュータプログラムに関する。
【背景技術】
【０００２】
携帯型電話機のような携帯型情報端末の発展は、目覚ましい。
【０００３】
このような背景に関連する技術としては、様々なものが知られている（例えば、特許文献１〜７参照。）。
【０００４】
例えば、特許文献１には、携帯型情報端末およびこれを用いた情報処理システムに関し、表示する画像の領域を拡大し、表示対象の制限を緩和あるいは撤廃することが開示されている。具体的には、携帯型情報端末の表示部を開くと、その内部には扉側に第１の液晶ディスプレイが配置されており、装置本体側には第２の液晶ディスプレイが配置されている。従って、これら２面の液晶ディスプレイを使用して実質的に大画面で文字や画像等の情報を表示することができる。情報処理システムは、大画面用の画像を扱う大画面用サーバと小画面用の画像を扱う小画面用サーバを用意しており、これらを切り替えて使用することで、ディスプレイのサイズに対応させている。
【０００５】
また、例えば、特許文献２には、タッチパネルを使用したゲーム画面の表示方法として、簡単な操作でありながら、プレイヤオブジェクトの動作にバリエーションを持たせ、ゲーム性を向上させることが開示されている。具体的には、ボールを持った選択キャラクタがセンタリングエリアに入ると、タッチパネルが設けられた第２ＬＣＤに、「センタリング」のためのボタンスイッチ画像が表示される。プレイヤがこのボタンスイッチ画像に触れると選択キャラクタは「センタリング」を行うのであるが、その目標点は、プレイヤがボタンスイッチ画像のどの部分を触ったかによって変化する。ボタンスイッチ画像内の各点は、ゲームフィールドにおけるセンタリングエリア内の各点に対応している。
【０００６】
また、例えば、特許文献３には、二画面表示ゲーム装置とそのゲームプログラムに関し、広いゲーム空間として、相互に関連性を有する２つの異なる背景画面又はコース（コース等）を、各表示画面に別々に表示し、各表示画面に表示される２つのコース等を行き来しながらゲームを進行させることが開示されている。具体的には、第１と第２の表示画面（表示部）からなる２画面分の表示画面を設け、一方の表示画面には第１のコース等，他方の表示画面には第２のコース等を表示し、第１のコース等と第２のコース等との間を行き来できるように連絡通路が表示される。プレイヤキャラクタが一方の表示画面のコース等を移動中に、他方の表示画面へ移動可能な連絡通路が出現したタイミングで、他方の表示画面への移動又はコース変更可能なことを判断し、プレイヤキャラクタをコース変更させて、他方のコースを移動させる。
【０００７】
また、例えば、特許文献４には、フィルム式着座検出用静電容量センサにおいて、着座時の違和感が少なくし、製造も容易にすることが開示されている。具体的には、２電極型フィルム式静電容量センサのマット電極を、樹脂フィルムの両面に形成された上側電極及び下側電極で構成する。また、これら上側電極及び下側電極を被覆する樹脂コーティング層を設ける。
【０００８】
また、例えば、特許文献５には、コンパクト化を維持しながら、本体部に対して、表示画面の大きな表示部を提供することが開示されている。具体的には、折畳み、展開可能式バリアングル機構付き表示手段と、前記表示手段のポジションを検出する検出手段を有し、前記検出手段で検出された前記表示手段のポジションにより、折り畳み状態では、表示画面を２分割し同一画像を両面に表示する。展開状態では、表示画面を分割せず表示領域全体に画像表示を行なうように表示方法を切り替える。
【０００９】
また、例えば、特許文献６には、複数の貫通孔が形成された芯材と電極活物質層とを含むアルカリ蓄電池用電極において、芯材の電子伝導性および機械的強度を共に向上させ、アルカリ蓄電池のエネルギー密度および出力を向上させることが開示されている。具体的には、芯材として、複数の貫通孔が格子状に形成された芯材を用いる。貫通孔は、対向する２辺と他の対向する２辺とからなる略矩形状の形状を有する。さらに、この２組の対向する辺の内、その１組の辺は芯材の長手方向に沿う端部に略平行に設ける。他の１組の辺は芯材の長手方向に沿う端部に垂直な方向に略平行に設ける。
【００１０】
また、例えば、特許文献７には、電子機器及びその制御方法として、複数の表示画面を有し、ユーザによる表示画面のスライド動作や回動動作をトリガーとして、表示画面に表示される情報を操作することが開示されている。具体的には、相対的に移動可能に連結された複数の２つの表示画面に情報を表示可能な電子機器であって、表示画面同士が所定の位置関係となる第１ポジションから、所定時間内に、第１ポジション以外の第２ポジションを検知し、再度第１ポジションを検知すると、トリガー信号を発し、オペレーティングシステム及び／又はアプリケーションの操作を行なう。
【先行技術文献】
【特許文献】
【００１１】
【特許文献１】特許第４１６３３５５号公報
【特許文献２】特許第４１２７５３６号公報
【特許文献３】特開２００８−０００２４１号公報
【特許文献４】特許第４３６２７８６号公報
【特許文献５】特開２００９−０８９３２８号公報
【特許文献６】再公表ＷＯ２０１０／１１４００７号公報
【特許文献７】特開２０１２−２０８６０８号公報
【発明の概要】
【発明が解決しようとする課題】
【００１２】
図８は、複数の表示画面を備えた一般的な携帯端末装置の表示画面の構成を示す。同図に示すように、通常の一般的な携帯端末装置は、複数個のディスプレイ装置の表示画面を、例えばマトリクス状に並べて構成している。即ち、通常の一般的な携帯端末装置は、これらの複数の表示画面でもって１つの表示画面を構成できるようにしている。但し、図８に示す携帯端末装置は、説明上の一般的かつ仮想的な携帯端末装置であるので、その表示画面は、固定式の表示画面としている。即ち、実際の携帯端末装置のように、筐体開閉時の携帯端末装置の向きなどにより、表示内容が変更されることまでは示していない。
【００１３】
なおまた、特許文献１に記載の技術は、扉側に第１の液晶ディスプレイを備え、装置本体側には第２の液晶ディスプレイを備える。よって、これら２面の液晶ディスプレイを使用して実質的に大画面で文字や画像等の情報を表示することができる。しかし、大画面化だけに留まっており、表示すべき画面情報の総量を、関連情報も含めて考慮することで表示方法を変えることまでは考慮されていない。
【００１４】
また、特許文献２に記載の技術は、折畳み式の２画面端末（ゲームなど）のように、片側はゲーム本編でもう片側は操作パネルとなり、ユーザが操作等を実施することで、ゲームを進める上での利便性を持たせている。しかし、２画面を１画面として表示させることは行われていない。
【００１５】
また、特許文献３に記載の技術は、第１と第２の表示画面からなる２画面分の表示画面を設け、一方の表示画面には第１のコース等を表示し，他方の表示画面には第２のコース等を表示する。また、この第１のコース等と第２のコース等との間で行き来できるように連絡通路などを表示させ、ユーザから見えるようにして第１と第２の表示画面の関連性を持たせている。これにより、ユーザの視認性、操作性向上させることを意図しているが、端末装置の開閉の際の開いた方向（向き）に合わせて表示内容を変更することまでは行われていない。
【００１６】
また、特許文献４に記載の技術は、折畳み式２画面タッチパネルにおいて、ユーザがタッチ操作した際に、マルチタッチが２画面に跨がっているか否かを検出する。これにより、現在の表示モード上で次ページ遷移画面などの表示内容を第１表示画面と第２表示画面へどう表示するかを決定するものである。なおまた、表示モードとしては、１アプリ表示モード：第１表示画面と第２表示画面の両方の表示画面を用いて１つのアプリケーションを表示するモードと、２アプリ表示モード：第１表示画面と第２表示画面とのそれぞれの表示パネルに１つずつのアプリケーションを表示するモード）とを有する。しかし、端末装置の開閉時に、自動で１アプリ表示モードに切り替えることまでは行われていないので、ユーザが端末装置を開いた際のアプリケーションの基本動作切り替えに必要なプログラムのステップ数が減らせない。
【００１７】
また、特許文献５に記載の技術は、折畳み、展開可能式バリアングル機構付き表示手段と、前記表示手段のポジションを検出する検出手段を有し、前記検出手段で検出された前記表示手段のポジションにより、折り畳み状態では、表示画面を２分割し同一画像を両面に表示する。展開状態では、表示画面を分割せず表示領域全体に画像表示を行なうように表示方法を切り替える。しかし、これにより、コンパクト化を維持しながら、本体部に対して、表示画面の大きな表示部を提供することが可能にはなっても、表示すべき画面情報の総量を、関連情報も含めて考慮することで表示方法を変えることまでは考慮されていない。
【００１８】
また、特許文献６に記載の技術は、第１と第２の表示画面からなる２画面分の表示画面を備えた端末装置において、上記２画面に別々の情報を表示する。例えば、第１表示画面には或るアプリケーション（例えばブラウザ）を表示し、他方の第２表示画面には第１表示画面とは別のアプリケーション（例えばメールソフト）を表示する。この表示と共に該両アプリケーションを起動させることで、ユーザの操作利便性を向上させることを意図している。しかしながら、特許文献６に記載の技術は、「縦クローズ状態→「縦オープン状態」に切り替えた際に、上記２画面を１画面として表示させることまでは考慮されていない。
【００１９】
さらに、特許文献７に記載の技術は、第１ポジション（端末を最も開いた状態）と、第２ポジション（端末を最も開いた状態以外）とを決め、所定時間内に、第１ポジション以外の第２ポジションを検知する。その後、再度第１ポジションを検知すると、トリガー信号を発し、各アプリの画面表示を１画面構成での表示や操作（操作例、ブラウザのヒストリーバック、選択時画面の１画面構成での拡大表示、電子書籍のページ送りなど）を行う。
【００２０】
しかしながら、上記のトリガー信号は、あくまで、タイマーでの「第１ポジション→第２ポジション→第１ポジション」を計時してのトリガー信号であり、よって、タイマーの計時によってはユーザ切替え操作にタイムラグ生じ、利便性を損なうことになる。また、特許文献７に記載の技術は、上記の第１ポジションと第２ポジションのポジションを判定するのみであり、ユーザ利用シーン（表示内容）によっては表示切替えしたくない場合も有ることまでは考慮されていない。ちなみに、この表示切替えしたくない場合とは、例えば、ユーザが第１ポジションで電子書籍を閲覧中、誤って第２ポジションにしてしまい、第１ポジションに戻した場合などである。即ち、このような場合には、ユーザの閲覧が未だ終了していないのにもかかわらず、ページ送りがなされてしまう。
【００２１】
本発明の目的は、上述した課題を解決する携帯端末装置、携帯端末装置の画面表示方法、及びコンピュータプログラムを提供することにある。
【課題を解決するための手段】
【００２２】
上記課題を解決するために、本発明の第１の形態によると、携帯端末装置であって、折畳み式の筐体に付属する２画面のタッチパネルと、制御部とを備え、制御部は、折畳み式の筐体の向きが縦向きか横向きかを判定する方向判定部と、筐体を開いた際に、表示するコンテンツの表示サイズがタッチパネルの１画面の表示領域のサイズを超えた否かを判定するサイズ判定部と、当該コンテンツに関連する他のコンテンツを含むページへの遷移が可能か否かを判定するページ判定部と、当該コンテンツの表示サイズがタッチパネルの１画面の表示領域のサイズを超えておらず、かつ当該コンテンツに関連する他のコンテンツを含むページへの遷移が不可能である場合に、当該コンテンツを、筐体の向きに対応した向きの２画面分を１画面とする表示領域に表示する全画面表示部と、当該コンテンツの表示サイズがタッチパネルの１画面の表示領域のサイズを超えておらず、かつ当該コンテンツに関連する他のコンテンツを含むページへの遷移が可能である場合に、当該コンテンツと他のコンテンツとを、筐体の向きに対応した向きの２画面の表示領域に各々分けて表示する個別画面表示部とを有する。
【００２３】
本発明の第２の形態によると、携帯端末装置の画面表示方法であって、折畳み式の筐体に付属する２画面のタッチパネルに対する画面表示方法として、折畳み式の筐体の向きが縦向きか横向きかを判定する段階と、筐体を開いた際に、表示するコンテンツの表示サイズがタッチパネルの１画面の表示領域のサイズを超えた否かを判定する段階と、当該コンテンツに関連する他のコンテンツを含むページへの遷移が可能か否かを判定する段階と、当該コンテンツの表示サイズがタッチパネルの１画面の表示領域のサイズを超えておらず、かつ当該コンテンツに関連する他のコンテンツを含むページへの遷移が不可能である場合に、当該コンテンツを、筐体の向きに対応した向きの２画面分を１画面とする表示領域に表示する段階と、当該コンテンツの表示サイズがタッチパネルの１画面の表示領域のサイズを超えておらず、かつ当該コンテンツに関連する他のコンテンツを含むページへの遷移が可能である場合に、当該コンテンツと他のコンテンツとを、筐体の向きに対応した向きの２画面の表示領域に各々分けて表示する段階とを備える。
【００２４】
本発明の第３の形態によると  折畳み式の筐体に付属する２画面のタッチパネルを備えた携帯端末装置をコンピュータで制御させるためのコンピュータプログラムであって、折畳み式の筐体の向きが縦向きか横向きかを判定するステップと、筐体を開いた際に、表示するコンテンツの表示サイズがタッチパネルの１画面の表示領域のサイズを超えた否かを判定するステップと、当該コンテンツに関連する他のコンテンツを含むページへの遷移が可能か否かを判定するステップと、当該コンテンツの表示サイズがタッチパネルの１画面の表示領域のサイズを超えておらず、かつ当該コンテンツに関連する他のコンテンツを含むページへの遷移が不可能である場合に、当該コンテンツを、筐体の向きに対応した向きの２画面分を１画面とする表示領域に表示するステップと、当該コンテンツの表示サイズがタッチパネルの１画面の表示領域のサイズを超えておらず、かつ当該コンテンツに関連する他のコンテンツを含むページへの遷移が可能である場合に、当該コンテンツと他のコンテンツとを、筐体の向きに対応した向きの２画面の表示領域に各々分けて表示するステップとを有する。
【００２５】
なおまた、上記の発明の概要は、本発明の必要な特徴の全てを列挙したものではない。また、これらの特徴群のサブコンビネーションもまた、発明となり得る。
【発明の効果】
【００２６】
以上の説明から明らかなように、この発明によっては、２画面のタッチパネルを備えた携帯電話装置等に適用可能された場合、画面サイズの拡大、縮小等を伴う画面を構成する際に、ユーザ操作による画面変更処理（即ち手動での表示切り替え）を行う必要が無くなり、ユーザの利便性が向上する。また、この効果により、画面表示に至るまでのアプリケーションプログラムのステップ数を減らすことができるので、画面切り替えを迅速に行うことができる。
【００２７】
また、この発明が、折畳み式２画面タッチパネルを備えた携帯端末装置に適用可能された場合、現在表示中の画面を中心とした遷移を行うことで、画面表示に至るまでのアプリケーションプログラムのステップ数を減らすことができる効果が有る。また、この効果により、ユーザの閲覧途中で現在表示中のページの前後ページへ遷移した場合でも、ユーザはヒストリーバックなどの操作を行う必要が無くなるので、ユーザの利便性が向上する効果が得られる。
【図面の簡単な説明】
【００２８】
【図１】本発明の実施形態に係る携帯端末装置の外観構成を示す外観図である。
【図２】本発明の実施形態に係る携帯端末装置の全体的なブロック構成を示す構成図である。
【図３】本発明の実施形態に係る携帯端末装置（携帯電話装置１００）の、端末筐体の向きと端末筐体の開閉における各状態を例示した説明図である。
【図４】本発明の実施形態に係る携帯端末装置（携帯電話装置１００）の、タッチパネル上に表示される各種コンテンツのサイズと、タッチパネル上のサイズとの違いを感覚的なイメージで表現した説明図である。
【図５】本発明の実施形態に係る携帯端末装置（携帯電話装置１００）において、端末筐体を開いた際に表示される表示パターンを示した説明図である。
【図６】本発明の実施形態に係る携帯端末装置（携帯電話装置１００）において、端末筐体を開いた際に表示される表示パターンを示した他の説明図である。
【図７】発明の実施形態に係る携帯端末装置（携帯電話装置１００）の端末筐体を開いた際の表示動作の手順を示すフローチャート図である。
【図８】複数の表示画面を備えた一般的な携帯端末装置の表示画面の構成を示す説明図である。
【発明を実施するための形態】
【００２９】
以下、発明の実施の形態を通じて、図面を参照して詳細に説明する。
【００３０】
図１は、本発明の実施形態に係る携帯端末装置の外観構成を示す外観図である。同図では、本実施形態の携帯端末装置である携帯電話装置１００の外観を示している。この携帯電話装置１００の筐体は折り畳み式である。ディスプレイ１１は、液晶等で構成された２画面のタッチパネルを備える。制御部１０１は、論理的な構成要素として、方向判定部１２１、サイズ判定部１２２、ページ判定部１２３、全画面表示部１２４、及び個別画面表示部１２５を備える。方向判定部は、折畳み式の筐体の向きが縦向きか横向きかを判定する。サイズ判定部は、筐体を開いた際に、表示するコンテンツの表示サイズがタッチパネルの１画面の表示領域のサイズを超えた否かを判定する。ページ判定部は、当該コンテンツに関連する他のコンテンツを含むページへの遷移が可能か否かを判定する。全画面表示部は、当該コンテンツを２画面に渡って表示する。個別画面表示部は、当該コンテンツと他の関連情報とを、それぞれ別画面に表示する。ユーザは、本端末装置の筐体を開いた時に、該２面のタッチパネルを視認して操作することができる。制御部１０１については後述する。その他の構成要素の説明は省略する。本実施形態に係る携帯端末装置では、表示すべき内容が１画面時の液晶表示領域より多い場合、ユーザが本端末装置の筐体を開いた際、制御部１０１が、元の画面の情報に他の関連情報（後述）も加え、しかも、上記筐体の開かれた方向（向き）に基づいた１画面構成に編集して表示する。
【００３１】
上記の他の関連情報とは、例えば、現在コンテンツを表示しているページの前のページの情報や、次のページの情報である。このため、従前の、ユーザの手動での表示切り替え操作は不要となる。また、これにより、ユーザが本端末装置を開いた際に、制御部１０１によるアプリケーションの基本動作切り替えに必要なプログラムのステップ数を減らすことができるので、ユーザの利便性を向上させることが可能となる。なおまた、本実施形態に係る携帯端末装置は、後述する制御部１０１が、図１に示す１画面での表示時に、液晶表示領域のサイズよりも、表示内容（例：メール、ブラウザなど）のサイズが大きいか否かを判断する。この判断に基づき、ユーザが該端末装置の筐体を開いた際に、制御部１０１が、２画面で表示させる内容を変更する。これにより、ユーザの利便性を向上させている。
【００３２】
図２は、本発明の実施形態に係る携帯端末装置の全体的なブロック構成を示す構成図である。同図に示す本発明の実施形態に係る携帯端末装置は、ここでは携帯電話装置１００である。携帯電話装置１００は、タッチパネル１０、制御部１０１、メモリ１０２、音源部１０５、スピーカー部１０６、マイク部１０７、カメラ部１０８、センサ部１０９、非接触ＩＣ部１１０、及び無線部１１１を備える。タッチパネル１０は、２画面のタッチパネルであるものとし、タッチ入力部１（１０３ａ）、タッチ入力部２（１０３ｂ）、表示部１（１０４ａ）、及び表示部２（１０４ｂ）を含む。
【００３３】
以下、図２に示す本発明の実施形態に係る携帯端末装置（携帯電話装置１００）の各構成要素の機能を説明する。タッチパネル１０は、ここでは２画面のタッチパネルとしているので、液晶ディスプレイのように情報を表示する表示部１（１０４ａ）、表示部２（１０４ｂ）を含む。また、これに対応し、タッチパネル１０は、画面毎にユーザの指などによって接触（タッチ）し、対応する所定の各種操作を行うタッチ入力部１（１０３ａ）、タッチ入力部２（１０３ｂ）を含む。
【００３４】
これらのタッチパネルは、画面毎にユーザの指などによって接触（タッチ）された時に、制御部１０１が、どのような接触操作がなされたかを判別できるように構成されている。制御部１０１は、上記のタッチパネルとは限らず、他の全ての構成要素の機能を制御する。さらに、制御部１０１は、２画面のタッチパネル操作端末装置である携帯電話装置１００の表示部１（１０４ｂ）及び表示部２（１０４ｂ）に表示している状況を判断する機能を有する。より具体的には、制御部１０１は、２画面表示時、表示部１（１０４ｂ）、表示部２（１０４ｂ）に表示する内容を自動的に変更指示する機能を有する。なおまた、制御部１０１が判断する上記状況には、例えば、各種コンテンツが１画面時の液晶表示領域より多いか否かや、端末の向きなどが含まれる。
【００３５】
図３は、本発明の実施形態に係る携帯端末装置（携帯電話装置１００）の、端末筐体の向きと端末筐体の開閉における各状態を例示した説明図である。同図において、図３（ａ）は、縦クローズ状態の１例、図３（ｂ）は、縦クローズ状態の他の１例、図３（ｃ）は、横クローズ状態の１例、図３（ｄ）は、横クローズ状態の他の１例を、それぞれ示すものである。また、図３（ｅ）は、縦オープン状態の１例、図３（ｆ）は、縦オープン状態の他の１例、図３（ｇ）は、横オープン状態の１例、図３（ｈ）は、横オープン状態の他の１例を、それぞれ示すものである。
【００３６】
図４は、本発明の実施形態に係る携帯端末装置（携帯電話装置１００）の、タッチパネル上に表示される各種コンテンツのサイズと、タッチパネル上のサイズとの違いを感覚的なイメージで表現した説明図である。
【００３７】
図５は、本発明の実施形態に係る携帯端末装置（携帯電話装置１００）において、端末筐体を開いた際に表示される表示パターンを示した説明図である。同図において、図５（ａ）は、図３（ａ）に示す縦クローズ状態１から端末筐体を開いた際に表示される表示パターン１を示す。また、図５（ｂ）は、図３（ｂ）に示す縦クローズ状態２から端末筐体を開いた際に表示される表示パターン１を示す。図５（ｃ）は、図３（ａ）に示す縦クローズ状態１から端末筐体を開いた際に表示される表示パターン２，３を示す。さらに、図５（ｄ）は、図３（ｂ）に示す縦クローズ状態２から端末筐体を開いた際に表示される表示パターン２，３を示す。
【００３８】
図６は、本発明の実施形態に係る携帯端末装置（携帯電話装置１００）において、端末筐体を開いた際に表示される表示パターンを示した他の説明図である。同図において、図６（ａ）は、図３（ｃ）に示す横クローズ状態１から端末筐体を開いた際に表示される表示パターン４，５，６を示す。また、図６（ｂ）は、図３（ｄ）に示す横クローズ状態２から端末筐体を開いた際に表示される表示パターン４，５，６を示す。
【００３９】
図７は、本発明の実施形態に係る携帯端末装置（携帯電話装置１００）の端末筐体を開いた際の表示動作の手順を示すフローチャート図である。以下、図１〜６を参照しながら、図７に示すフローチャートを使用して、本発明の実施形態に係る携帯端末装置（携帯電話装置１００）の端末筐体を開いた際の表示動作の手順を説明する。なおまた、図７に示すフローチャートでは、ユーザが端末筐体を開いた際の表示部１（１０４ａ）及び表示部２（１０４ｂ）に表示する時の表示動作を、図５，６に示す表示パターン（１〜６）別に纏めて示している。
【００４０】
なおまた、例えば、ユーザが本発明の実施形態に係る携帯端末装置（携帯電話装置１００）において或るブラウザを起動中、該ブラウザの基本動作の流れは、「ホーム」→「ブラウザ起動（デフォルトページ表示）」→「ユーザが選択したリンク先ページを表示」と変化する。その後、図１に示すように、ユーザが本端末装置の筐体を閉状態から開状態にすると、ステップＳ１で、制御部１０１は、該ユーザが端末筐体を開いた際の本端末装置の向きが、縦又は横のいずれであるかを判断する。その結果、本端末装置の向きが縦向きの場合はステップＳ２に進み、また、本端末装置の向きが横向きの場合はステップＳ７に移る。
【００４１】
ここで本端末装置の向きが縦向きの場合とは、より具体的には、本端末装置を開く前の状態が、図３（ａ）に示す縦クローズ状態１の場合や、図３（ｂ）に示す縦クローズ状態２のような場合のことである。
【００４２】
ステップＳ２では、制御部１０１は、例えば図４に示す各種コンテンツのＸ方向と液晶画面サイズのＸ方向とを比較する。その結果、上記各種コンテンツの表示サイズが液晶画面サイズよりも大きい場合はステップＳ３に進む。また、上記各種コンテンツの表示サイズが液晶画面サイズよりも大きくない場合はステップＳ４に移る。ステップＳ３では、制御部１０１は、タッチパネル１０に、図５（ａ）又は図５（ｂ）に示すように、上記コンテンツを含む情報を表示パターン１として表示する。
【００４３】
ステップＳ４では、制御部１０１は、アプリケーションで選択された詳細画面への遷移が可能か否かを判断する。アプリケーションで選択された詳細画面への遷移が可能の場合はステップＳ５に進む。また、アプリケーションで選択された詳細画面への遷移が可能でない場合はステップＳ６に移る。
【００４４】
なおまた、ステップＳ４での判定を行うことが必要な場合とは、例えば、ユーザが本端末装置の筐体を閉状態から開状態にしようとした際である。この場合に、例えば、メール一覧表示にて現在、選択されているメールの詳細画面へ遷移可能か否かを判定するものである。より具体的には、ユーザがメーラーを起動した場合である。この場合、メーラーの基本動作は、「ホーム」→「メーラー起動（フォルダ一覧表示）」→「メール一覧表示（受信トレイなど各フォルダ内のメール一覧）」→「メール詳細内容の表示」の流れ）となる。ここで、図１に示すように、ユーザが、本端末装置の筐体を閉状態から開状態にしようとした際には、メール一覧表示にて現在、選択されているメールの詳細画面への遷移が可能かを判定する必要が生じる。また、ステップＳ４での判定における遷移とは、表示画面（ページ）の遷移と共に制御部１０１が制御する制御の流れの遷移も含むものとする。
【００４５】
ステップＳ５では、制御部１０１は、図５（ｃ）又は図５（ｄ）に示すように、遷移先の片側画面に上記コンテンツを含む情報を表示パターン２として片側画面で表示する。ここでは、表示パターン２を、例えば、メール一覧（画面情報Ａ）＋メール詳細（画面情報Ｂ）とし、画面情報Ｂをユーザ操作画面の情報とする。
【００４６】
ステップＳ６では、制御部１０１は、図５（ｃ）又は図５（ｄ）に示すように、上記コンテンツを含む情報を、元の画面のままの片側画面に表示パターン３として表示する。ここでは、表示パターン３を、例えば、縦向きの遷移画面の内容をフォルダ一覧（画面情報Ｃ）＋メール一覧（画面情報Ａ）とし、画面情報Ａをユーザ操作画面の情報とする。なおまた、ステップＳ６が実行される場合とは、例えば、メール一覧表示にてメールなどが選択されていない状態であるので選択先への遷移が不可能な場合である。
【００４７】
ステップＳ７では、制御部１０１は、例えば図４に示す各種コンテンツのＹ方向の表示サイズと液晶画面のＹ方向のサイズとを比較する。その結果、上記各種コンテンツの表示サイズが液晶画面のサイズよりも大きい場合はステップＳ８に進む。また、上記各種コンテンツの表示サイズが液晶画面サイズよりも大きくない場合はステップＳ９に移る。
【００４８】
ステップＳ８では、制御部１０１は、タッチパネル１０に、図６（ａ）又は図６（ｂ）に示すように、上記コンテンツを含む情報を、２画面を占める表示パターン４として表示する。
【００４９】
ステップＳ９では、制御部１０１は、制御部１０１は、アプリケーションで選択された詳細画面への遷移が可能か否かを判断する。アプリケーションで選択された詳細画面への遷移が可能の場合はステップＳ１０に進む。また、アプリケーションで選択された詳細画面への遷移が可能でない場合はステップＳ１１に移る。
なおまた、ステップＳ９での判定を行うことが必要な場合とは、例えば、ユーザが本端末装置の筐体を閉状態から開状態にしようとした際である。この場合に、例えば、メール一覧表示にて現在、選択されているメールの詳細画面へ遷移可能か否かを判定するものである。より具体的には、ユーザがメーラーを起動した場合である。この場合、メーラーの基本動作は、「ホーム」→「メーラー起動（フォルダ一覧表示）」→「メール一覧表示（受信トレイなど各フォルダ内のメール一覧）」→「メール詳細内容の表示」の流れ）となる。ここで、図１に示すように、ユーザが、本端末装置の筐体を閉状態から開状態にしようとした際には、メール一覧表示にて現在、選択されているメールの詳細画面への遷移が可能かを判定する必要が生じる。
【００５０】
ステップＳ１０では、制御部１０１は、図６（ａ）又は図６（ｂ）に示すように、上記コンテンツを含む情報を、遷移先の片側画面に表示パターン５として表示する。ここでは、表示パターン５を、例えば、メール一覧（画面情報Ａ）＋メール詳細（画面情報Ｂ）とし、画面情報Ｂをユーザ操作画面の情報とする。
【００５１】
ステップＳ１１では、制御部１０１は、図６（ａ）又は図６（ｂ）に示すように、上記コンテンツを含む情報を、元の画面のままの片側画面に表示パターン６として表示する。ここでは、表示パターン６を、例えば、横向きの遷移画面の内容を、フォルダ一覧（画面情報Ｃ）＋メール一覧（画面情報Ａ）とし、画面情報Ｂをユーザ操作画面の情報とする。なおまた、ステップＳ１１が実行される場合とは、例えば、メール一覧表示にてメールなどが選択されていない状態であるので選択先への遷移が不可能な場合である。
【００５２】
上記のとおり、制御部１０１は、コンテンツの表示サイズが液晶画面のサイズよりも大きい場合は１画面構成として表示し、それ以外の場合は２画面構成で表示する。また、制御部１０１は、２画面表示時には、状況に応じて液晶画面の表示内容を自動的に変更するので、ユーザの利便性を向上させることが可能となる。
【００５３】
なおまた、上記表示パターン１〜３の表示中に、ユーザが本端末装置の筐体を閉じた場合には、上記の縦クローズ状態１又は縦クローズ状態２に戻すことが可能である。また、上記表示パターン４〜６の表示中に、ユーザが本端末装置の筐体を閉じた場合にも、同様に、上記の横クローズ状態１又は横クローズ状態２に戻すことが可能である。このため、ユーザが本端末装置の筐体を開いた場合だけでなく、本端末装置の筐体を閉じた場合も含めて、本端末装置の向きを基にして、現在の選択画面を中心とした自動的な画面及び処理の遷移が可能となる。よって、例えば、ユーザが閲覧途中で前後ページへ遷移させた場合であっても、該ユーザは、従前のヒストリーバックなどの操作は行う必要が無くなり、ユーザの利便性が著しく向上する。
【００５４】
以上に述べたとおり、本発明の実施形態に係る携帯端末装置によれば、２画面のタッチパネルを備えた携帯電話装置等に適用可能であり、その場合、下記の効果を有する。即ち、コンテンツの表示サイズが１画面時の液晶表示領域のサイズよりも大きい場合、制御部１０１が、ユーザが本端末装置の筐体を開いた方向に基づいて、現在表示中のコンテンツのページの前後ページの内容も含めた表示内容に変更して表示する。この効果により、画面サイズの拡大、縮小等を伴う画面を構成する際に、ユーザ操作による画面変更処理（即ち手動での表示切り替え）を行う必要が無くなり、ユーザの利便性が向上する効果が得られる。また、この効果により、画面表示に至るまでのアプリケーションプログラムのステップ数を減らすことができるので、画面切り替えを迅速に行うことができる効果が有る。
【００５５】
また、折畳み式２画面タッチパネルを備えた携帯端末装置の場合、制御部１０１は、ユーザが本端末装置の筐体を開いた際、コンテンツの表示サイズが１画面時の液晶表示領域より少ない場合は、現ページの選択箇所に関する遷移が可能かどうかを判定する。この結果、上記の遷移が可能であれば、遷移先としての画面を別画面に切り替えて表示し、上記の遷移が不可能であれば、元の画面の内容に関連情報を付加した画面を別画面として表示する。これにより、上記のいずれの場合も、現在表示中の画面を中心とした遷移を行うことになるので、画面表示に至るまでのアプリケーションプログラムのステップ数を減らすことができる効果が有る。また、この効果により、ユーザの閲覧途中で現在表示中のページの前後ページへ遷移した場合でも、ユーザはヒストリーバックなどの操作を行う必要が無くなるので、ユーザの利便性が向上する効果が得られる。
【００５６】
（その他の実施の形態）：本発明の他の実施の形態として、各種コンテンツの表示サイズが液晶画面サイズより大きい部分を判定する箇所として、スクロールバーの有無で判断する方法も可能である。この場合、図７の各種コンテンツのＸ方向のサイズと液晶画面のＸ方向のサイズとを比較する処理ステップ（ステップＳ２）を、Ｘ方向へのスクロールの有無で判定する処理ステップに変更するものとする。また、図７の各種コンテンツのＹ方向のサイズと液晶画面のＹ方向のサイズとを比較する処理ステップ（ステップＳ７）を、Ｙ方向へのスクロールの有無で判定する処理ステップに変更するものとする。
【００５７】
この実施形態に係る携帯端末装置によれば、現在の画面状態が、図３に示すような２画面状態の内、いずれの２画面状態であるのかを制御部１０１が各スクロールの有無だけで判定することができる。これにより、制御部１０１は、２画面表示に際して、液晶画面の表示切り替え処理を好適なタイミングで先取り的に行うことができるので、ユーザの利便性を一層向上させることが可能となる効果が得られる。
【符号の説明】
【００５８】
１０  タッチパネル
１１  ディスプレイ
１００  携帯電話装置
１０１  制御部
１０２  メモリ
１０５  音源部
１０６  スピーカー部
１０７  マイク部
１０９  センサ部
１１０  非接触ＩＣ部
１１１  無線部
１０３ａ  タッチ入力部１
１０３ｂ  タッチ入力部２
１０４ａ  表示部１
１０４ｂ  表示部２
１２１  方向判定部
１２２  サイズ判定部
１２３  ページ判定部
１２４  全画面表示部
１２５  個別画面表示部
【図１】
2014145972.tif 000003
【図２】
2014145972.tif 000004
【図３】
2014145972.tif 000005
【図４】
2014145972.tif 000006
【図５】
2014145972.tif 000007
【図６】
2014145972.tif 000008
【図７】
2014145972.tif 000009
【図８】
2014145972.tif 000010